(57)【要約】【課題】偽貨などが再度、市中に出回らないようにするために、リジェクト硬貨を適切に処理することができる硬貨処理装置および硬貨処理方法を提供すること。【解決手段】硬貨処理装置１が、硬貨処理装置１の顧客側に設けられ、硬貨が投入される投入部２と、投入部２から投入された硬貨を識別する識別部１３と、硬貨処理装置１の係員側に設けられ、識別部１３においてリジェクト硬貨と識別された硬貨が投出される第１の投出部２０と、を有する。【選択図】図２
2019192051.tif 000002
【特許請求の範囲】
【請求項１】
硬貨を処理する硬貨処理装置であって、
前記硬貨処理装置の顧客側に設けられ、前記硬貨が投入される投入部と、
前記投入部から投入された前記硬貨を識別する識別部と、
前記硬貨処理装置の係員側に設けられ、前記識別部においてリジェクト硬貨と識別された前記硬貨が投出される第１の投出部と、
を有する硬貨処理装置。
【請求項２】
前記識別部においてリジェクト硬貨と識別された前記硬貨のうち、偽貨と識別された前記硬貨または偽貨の可能性があると識別された前記硬貨は前記第１の投出部に投出される請求項１に記載の硬貨処理装置。
【請求項３】
前記第１の投出部は、前記顧客側からアクセスできない位置に配置されている請求項１または２に記載の硬貨処理装置。
【請求項４】
前記識別部においてリジェクト硬貨と識別された前記硬貨を一時的に保留する一時保留部を、さらに有し、
前記一時保留部に保留されている前記硬貨に前記識別部において偽貨と識別された前記硬貨が含まれている場合、前記一時保留部に保留されている前記硬貨は、前記第１の投出部に投出される請求項１〜３の何れか１項に記載の硬貨処理装置。
【請求項５】
前記顧客側に設けられ、前記硬貨が投出される第２の投出部を、さらに有し、
前記一時保留部は、一時的に保留した前記硬貨を前記第１の投出部または前記第２の投出部に搬送する請求項４に記載の硬貨処理装置。
【請求項６】
前記一時保留部は、前記一時保留部から前記第１の投出部または前記第２の投出部に前記硬貨が排出されることを防止するストッパを有する請求項５に記載の硬貨処理装置。
【請求項７】
前記ストッパは、前記第１の投出部に前記硬貨が排出されることを防止する第１のストッパと、前記第２の投出部に前記硬貨が排出されることを防止する第２のストッパとを含む請求項６に記載の硬貨処理装置。
【請求項８】
前記第１のストッパおよび前記第２のストッパの何れか一方が前記硬貨が排出されることを防止する状態となる場合、他方は前記硬貨が排出されること防止しない状態となる請求項７に記載の硬貨処理装置。
【請求項９】
前記硬貨を繰り出す繰出部を、さらに有し、
前記繰出部が繰り出す前記硬貨は、前記第２の投出部に投出される請求項５〜８の何れか１項に記載の硬貨処理装置。
【請求項１０】
前記繰出部が繰り出す前記硬貨は、釣銭、両替された硬貨、または、出金された硬貨である請求項９に記載の硬貨処理装置。
【請求項１１】
前記第１の投出部への前記硬貨の投出を報知する報知部を、さらに有する請求項１〜１０の何れか１項に記載の硬貨処理装置。
【請求項１２】
前記報知部は、前記硬貨の投出先に応じて異なる態様で前記硬貨の投出を報知する請求項１１に記載の硬貨処理装置。
【請求項１３】
硬貨処理装置の顧客側から硬貨が投入されるステップと、
投入された前記硬貨がリジェクト硬貨であるか否かを識別するステップと、
リジェクト硬貨と識別された前記硬貨が前記硬貨処理装置の係員側に投出されるステップと、
を含む硬貨処理方法。
【発明の詳細な説明】
【技術分野】
【０００１】
本発明は、硬貨処理装置および硬貨処理方法に関する。
【背景技術】
【０００２】
従来、硬貨を入出金する装置として、レジ釣銭機や両替機等といった硬貨処理装置が知られている。特許文献１には、このような硬貨処理装置において、入金された硬貨が識別部おいてリジェクト硬貨であると識別された場合、当該リジェクト硬貨を硬貨受取口に投出する硬貨処理装置に関する発明が開示されている。
【先行技術文献】
【特許文献】
【０００３】
【特許文献１】特開２０１５−４９７００号公報
【発明の概要】
【発明が解決しようとする課題】
【０００４】
しかし、上述した硬貨処理装置が投出するリジェクト硬貨には偽貨などが含まれている可能性があり、リジェクト硬貨を硬貨受取口に投出すると、偽貨などが再度、市中に出回る恐れがある。したがって、偽貨などが再度、市中に出回らないようにするために、リジェクト硬貨を適切に処理することが求められる。
【０００５】
そこで本発明は、リジェクト硬貨を適切に処理することができる硬貨処理装置および硬貨処理方法を提供することを目的とする。
【課題を解決するための手段】
【０００６】
本発明の硬貨処理装置は、硬貨処理装置の顧客側に設けられ、硬貨が投入される投入部と、投入部から投入された硬貨を識別する識別部と、硬貨処理装置の係員側に設けられ、識別部においてリジェクト硬貨と識別された硬貨が投出される第１の投出部と、を有する。
【０００７】
また、本発明の硬貨処理方法は、硬貨処理装置の顧客側から硬貨が投入されるステップと、投入された硬貨がリジェクト硬貨であるか否かを識別するステップと、リジェクト硬貨と識別された硬貨が硬貨処理装置の係員側に投出されるステップと、を含む。
【発明の効果】
【０００８】
本発明の硬貨処理装置および硬貨処理方法によれば、リジェクト硬貨を適切に処理することができる。
【図面の簡単な説明】
【０００９】
【図１】本実施の形態に係る硬貨処理装置の一例を示した斜視図である。
【図２】硬貨処理装置の側断面模式図である。
【図３】図２のＡ−Ａ矢視断面図である。
【図４】図２のＢ−Ｂ矢視断面図である。
【発明を実施するための形態】
【００１０】
以下、本発明の実施の形態を、図面を参照して説明する。
【００１１】
図１は、本実施の形態に係る硬貨処理装置１の一例を示した斜視図である。図１に示すように、硬貨処理装置１は、入金口２と、出金口３と、を有している。硬貨処理装置１は、例えば、レジにて支払われた硬貨を収納し、または、収納した硬貨を釣銭として繰出す。また、硬貨処理装置１は、両替機を構成し、両替された硬貨を出金する。また、硬貨処理装置１が、現金自動預け払い機である場合、硬貨処理装置１は、顧客の口座への入金または顧客の口座からの出金のための硬貨処理を行う。以下では、硬貨処理装置１に対し、図１に示すような３軸の座標を設定する。
【００１２】
入金口２は、装置前方（−ｙ方向）の上面（＋ｚ方向を向く面）に設けられている。入金口２には、硬貨処理装置１に入金される硬貨が投入される。入金口２に投入された硬貨は、硬貨処理装置１に収納される。なお、入金口２は、装置前方であれば、硬貨処理装置１の上面ではなく、前面に設けられていてもよい。
【００１３】
出金口３は、装置前方であって、入金口２の下方（装置の−ｚ側）に設けられている。ここで、装置前方とは、装置の一方側をいい、硬貨処理装置１を操作する顧客が対向する側である。また、装置前方とは、後述する搬送部の上流側である。
【００１４】
出金口３には、硬貨処理装置１に収納された硬貨が投出される。また、出金口３には、入金口２から投入された硬貨のうち、後述する識別部においてリジェクト硬貨と識別されたものの一部が投出される。
【００１５】
ここで、リジェクト硬貨とは、硬貨処理装置１の処理対象の硬貨ではなく、入金硬貨として受け付けられない硬貨、または、そもそも硬貨ではないものである。リジェクト硬貨には、例えば、偽貨、偽貨の可能性のある硬貨、処理対象ではない金種の硬貨、損傷した硬貨、ボタンなどの金属板などが含まれる。また、偽貨とは、偽造された硬貨であり、例えば肉眼での真偽の判別が困難な硬貨である。
【００１６】
出金口３に投出されるリジェクト硬貨には、硬貨処理装置１の処理対象ではない金種の硬貨、損傷した硬貨、金属板などが含まれる。
【００１７】
硬貨処理装置１は、出金口３の反対側の面（＋ｙ方向の面）に、回収部２０（図２および図４参照。）を有している。ここで、出金口３の反対側とは、装置後方側であり、上述した一方側に対して他方側である。また、出金口３の反対側とは、硬貨処理装置１が設置された店舗などの係員が対向する側であり、また、後述する搬送部の下流側である。
【００１８】
回収部２０は、顧客が対向する側からは、アクセスできない位置に配置される。例えば、硬貨処理装置１は、前側部分と後側部分が壁などの仕切部材によって仕切られる。これにより、回収部２０は、顧客側からはアクセスできないようにされる。
【００１９】
回収部２０には、後述する識別部１３によってリジェクト硬貨と識別された硬貨のうち、偽貨と識別された硬貨または偽貨の可能性があると識別された硬貨が投出される。回収部２０に投出された硬貨は、係員によって回収される。
【００２０】
回収部２０は、例えば、上面が開口した箱によって形成される。回収部２０は、硬貨処理装置１の筐体の外部に配置され、後述する出金搬送部１７から投出された硬貨を受け入れる。
【００２１】
図２は、硬貨処理装置１の側断面模式図である。図２に示す硬貨処理装置１は、図１の硬貨処理装置１に対し、形状等を簡略化して図示している。図３は、図２のＡ−Ａ矢視断面図である。図３では、図２で示した構成要素の一部図示を省略している。図４は、図２のＢ−Ｂ矢視断面図である。なお、図１〜４において、同じ構成要素には同じ符号が付してある。
【００２２】
図２〜４に示すように、硬貨処理装置１は、入金口２および出金口３に加え、貯留繰出装置１１と、搬送部１２と、識別部１３と、硬貨分岐装置１４，１５ａ〜１５ｄと、収納繰出装置１６ａａ〜１６ａｄおよび収納繰出装置１６ｂａ〜１６ｂｄと、出金搬送部１７と、収納部１８と、回収部２０とを有している。また、硬貨処理装置１は、貯留繰出装置１１、搬送部１２、識別部１３、硬貨分岐装置１４，１５ａ〜１５ｄ、収納繰出装置１６ａａ〜１６ａｄおよび収納繰出装置１６ｂａ〜１６ｂｄ、ならびに、出金搬送部１７などを制御する制御部（不図示）を有している。
【００２３】
入金口２はシュートを有しており、投入された硬貨は、このシュートを伝って、貯留繰出装置１１が有するホッパー内に落下する。貯留繰出装置１１は、入金口２に投入された硬貨を一時貯留する。図２に示す硬貨Ｃ１は、貯留繰出装置１１のホッパーに一時貯留された硬貨である。
【００２４】
貯留繰出装置１１は、傾斜円盤１１ａを有している。傾斜円盤１１ａは、ホッパーとともに、硬貨を収納する空間を形成する。傾斜円盤１１ａは、表面に硬貨を引っ掛ける突起（図示せず）を有している。貯留繰出装置１１は、傾斜円盤１１ａを回転させて（例えば、図中反時計回りに回転させて）、一時貯留している硬貨Ｃ１を表面の突起に引っ掛け、上方へ拾い上げる。そして、貯留繰出装置１１は、傾斜円盤１１ａで上方に拾い上げた硬貨Ｃ１を搬送部１２に繰出す。図２に示す硬貨Ｃ２は、搬送部１２へ繰出される硬貨である。
【００２５】
搬送部１２は、硬貨処理装置１の上面のすぐ下に設けられている。また、搬送部１２は、装置の前面または背面から見て、ｘ軸方向の略中央に設けられている（図３および図４を参照）。
【００２６】
搬送部１２は、装置前方から後方に向かって伸びている。搬送部１２は、貯留繰出装置１１から繰出された硬貨を、装置前方から後方に向かって搬送する。搬送部１２には、例えば、搬送ベルトによって硬貨を搬送する一般的な技術を用いることができる。
【００２７】
識別部１３は、貯留繰出装置１１の下流かつ硬貨分岐装置１４，１５ａ〜１５ｄの上流であって、搬送部１２上に設けられている。識別部１３は、貯留繰出装置１１から繰出された硬貨を識別する。例えば、識別部１３は、磁気センサ等の各種センサを備え、搬送部１２で搬送される硬貨の金種、および、リジェクト硬貨（例えば、偽貨）であるか否か等を識別する。
【００２８】
硬貨分岐装置１４は、搬送部１２で搬送される硬貨を、２方向に振り分ける。例えば、硬貨分岐装置１４は、搬送部１２で搬送される硬貨を、搬送部１２の下流側（＋ｙ軸方向）、または、出金搬送部１７に振り分ける。
【００２９】
硬貨分岐装置１４は、識別部１３の識別結果に応じて、搬送部１２で搬送される硬貨を振り分ける。例えば、硬貨分岐装置１４は、識別部１３によってリジェクト硬貨と識別された硬貨を、出金搬送部１７に振り分ける。
【００３０】
また、硬貨分岐装置１４は、識別部１３によってリジェクト硬貨と識別された硬貨以外の硬貨を、搬送部１２の下流側に振り分ける。
【００３１】
硬貨分岐装置１５ａ〜１５ｃは、搬送部１２で搬送される硬貨を、３方向に振り分ける。例えば、硬貨分岐装置１５ａ〜１５ｃは、搬送部１２で搬送される硬貨を、搬送部１２の下流側（＋ｙ軸方向）、収納繰出装置１６ａａ〜１６ａｃ、または、搬送部１２を挟み、収納繰出装置１６ａａ〜１６ａｃと対向するように設けられている収納繰出装置１６ｂａ〜１６ｂｃ（図３および図４を参照）に振り分ける。
【００３２】
また、硬貨分岐装置１５ｄは、搬送部１２で搬送される硬貨を、２方向に振り分ける。硬貨分岐装置１５ｄは、搬送部１２で搬送される硬貨を、収納繰出装置１６ａｄ、または、搬送部１２を挟み、収納繰出装置１６ａｄと対向するように設けられている収納繰出装置１６ｂｄ（図３および図４を参照）に振り分ける。
【００３３】
硬貨分岐装置１５ａ〜１５ｄは、識別部１３の識別結果に応じて、搬送部１２で搬送される硬貨を、各方向に振り分ける。例えば、硬貨分岐装置１５ａは、識別部１３によって第１の金種と識別された硬貨を、収納繰出装置１６ａａに振り分ける（図３の矢印Ａ２を参照）。また、硬貨分岐装置１５ａは、識別部１３によって第２の金種と識別された硬貨を、搬送部１２を挟んで収納繰出装置１６ａａと対向するように設けられた収納繰出装置１６ｂａに振り分ける（図３の矢印Ａ３を参照）。また、硬貨分岐装置１５ａは、識別部１３によって第１の金種および第２の金種以外の金種と識別された硬貨を、搬送下流側（図３の＋ｙ軸方向）に振り分ける。
【００３４】
また、硬貨分岐装置１５ｂは、識別部１３によって第３の金種と識別された硬貨を、収納繰出装置１６ａｂに振り分ける。また、硬貨分岐装置１５ｂは、識別部１３によって第４の金種と識別された硬貨を、搬送部１２を挟み、収納繰出装置１６ａｂと対向するように設けられた収納繰出装置１６ｂｂに振り分ける。また、硬貨分岐装置１５ｂは、識別部１３によって第１〜第４の金種以外の金種と識別された硬貨を、搬送下流側に振り分ける。
【００３５】
硬貨分岐装置１５ｃも硬貨分岐装置１５ａ，１５ｂと同様に、搬送部１２で搬送される硬貨を３方向に振り分ける。硬貨分岐装置１５ｄは、搬送部１２の下流が存在しないので、硬貨を２方向に振り分ける。例えば、硬貨分岐装置１５ｄは、搬送部１２で搬送される硬貨に対して、収納繰出装置１６ａｄ、または、搬送部１２を挟み、収納繰出装置１６ａｄと対向するように設けられた収納繰出装置１６ｂｄに振り分ける。
【００３６】
収納繰出装置１６ａａ〜１６ａｄおよび収納繰出装置１６ｂａ〜１６ｂｄは、搬送部１２で搬送された硬貨をホッパーに収納する。搬送部１２で搬送される硬貨は、上記したように、識別部１３の識別結果に応じて、硬貨分岐装置１５ａ〜１５ｄによって金種ごとに仕分けされる。これにより、収納繰出装置１６ａａ〜１６ａｄのそれぞれは、異なる金種の硬貨を収納できる。本実施の形態において、硬貨処理装置１は、最大８金種の硬貨を分別して収納できる。
【００３７】
出金時には、収納繰出装置１６ａａ〜１６ａｄおよび収納繰出装置１６ｂａ〜１６ｂｄは、収納している硬貨を、出金搬送部１７に繰出す。収納繰出装置１６ａａ〜１６ａｄおよび収納繰出装置１６ｂａ〜１６ｂｄは、表面に硬貨を引っ掛ける突起を備えた傾斜円盤を有している。収納繰出装置１６ａａ〜１６ａｄおよび収納繰出装置１６ｂａ〜１６ｂｄは、傾斜円盤を回転させることで、表面の突起に硬貨を引っ掛け、上方に拾い上げる。収納繰出装置１６ａａ〜１６ａｄおよび収納繰出装置１６ｂａ〜１６ｂｄは、傾斜円盤で上方に拾い上げた硬貨を、繰出出口から繰出し、出金搬送部１７に落下させる（例えば、図３の矢印Ａ１を参照）。
【００３８】
出金搬送部１７は、搬送部１２の下方であって、硬貨処理装置１の底面の上に設けられている。出金搬送部１７は、装置前方から後方に向かって伸びている。出金搬送部１７上には、硬貨分岐装置１４によって振り分けられたリジェクト硬貨が落下する。また、出金搬送部１７上には、収納繰出装置１６ａａ〜１６ａｄおよび収納繰出装置１６ｂａ〜１６ｂｄから繰出された硬貨が落下する。
【００３９】
出金搬送部１７は、収納繰出装置１６ａａ〜１６ａｄおよび収納繰出装置１６ｂａ〜１６ｂｄから繰出された硬貨を、出金口３に搬送する。出金搬送部１７は、例えば、搬送ベルトによって構成され、出金搬送部１７上に落下した硬貨を出金口３に搬送する。
【００４０】
また、出金搬送部１７は、硬貨分岐装置１４によって振り分けられたリジェクト硬貨のうち、識別部１３によって偽貨と識別された硬貨、および、偽貨の可能性があると識別された硬貨を回収部２０に向けて搬送する。
【００４１】
出金搬送部１７は、回収部２０付近に第１のストッパ２５を有し、出金口３付近に第２のストッパ２６を有している。第１のストッパ２５は、出金搬送部１７に落下した硬貨が転がって回収部２０から排出されることを防止する。また、第２のストッパ２６は、出金搬送部１７に落下した硬貨が転がって出金口３から排出されることを防止する。これにより、回収部２０に投出されるべき硬貨が出金口３に排出されること、および、出金口３に投出されるべき硬貨が回収部２０に排出されることを防ぐことができる。
【００４２】
第１のストッパ２５は、板部材で形成されており、鉛直に配置されている。第１のストッパ２５は、その上端に設けられた水平な回転軸を中心に後方に回動可能に構成されている。第２のストッパ２６は、板部材で形成されており、鉛直に配置されている。第２のストッパ２６は、その上端に設けられた水平な回転軸を中心に前方に回動可能に構成されている。
【００４３】
このように第１のストッパ２５および第２のストッパ２６を構成することにより、出金搬送部１７上を転がる硬貨は、第１のストッパ２５または第２のストッパ２６に衝突し、倒れる。よって、第１のストッパ２５または第２のストッパ２６が出金口３または回収部２０に排出されることを抑制することができる。
【００４４】
また、出金搬送部１７が硬貨を回収部２０に搬送する際、第１のストッパ２５は、出金搬送部１７上の硬貨に押されて後方に回動するので、硬貨を第１のストッパ２５の下端部と出金搬送部１７との隙間を通過させることができる。
【００４５】
また、出金搬送部１７が硬貨を出金口３に搬送する際、第２のストッパ２６は、出金搬送部１７上の硬貨に押されて前方に回動するので、硬貨を第２のストッパ２６の下端部と出金搬送部１７との隙間を通過させることができる。
【００４６】
また、第１のストッパ２５および第２のストッパ２６は、シート状に形成された合成樹脂等の材料によって構成されていてもよい。この場合、第１のストッパ２５および第２のストッパ２６は、それぞれ上端部が所定の部材に引っ掛けられ、回収部２０および出金口３と出金搬送部１７との間に設けられるカーテンのように構成される。
【００４７】
また、第１のストッパ２５および第２のストッパ２６は、このような構成に限られず、上下方向にスライドする構成であってもよい。
【００４８】
収納部１８は、出金搬送部１７が搬送する一部の硬貨を受け入れ、収納する収納装置である。収納部１８に収納される硬貨は、特に限定されるものではなく、例えば、係員が収納部１８に収納される硬貨を適宜設定できるようにすればよい。収納部１８に収納された硬貨は、収納部１８が硬貨処理装置１の所定の方向から引き出されることにより、回収される。
【００４９】
図３に示すように、硬貨処理装置１は、収納繰出装置１６ｂａを有している。収納繰出装置１６ｂａは、搬送部１２を挟み、収納繰出装置１６ａａに対向するように設けられている。
【００５０】
図３には、搬送部１２で搬送される硬貨Ｃ１１が示してある。硬貨Ｃ１１を搬送する搬送部１２の搬送路は、図３に示すように傾斜している。
【００５１】
上述したように、搬送部１２で搬送される硬貨Ｃ１１は、識別部１３の識別結果に応じて、硬貨分岐装置１５ａ（図２参照）により、所定の搬送方向に振り分けられる。
【００５２】
例えば、硬貨Ｃ１１は、収納繰出装置１６ａａに収納される金種であった場合、矢印Ａ２に示す方向に振り分けられる。矢印Ａ２の方向に振り分けられた硬貨Ｃ１１は、収納繰出装置１６ａａに収納される。また、硬貨Ｃ１１は、収納繰出装置１６ｂａに収納される金種であった場合、矢印Ａ３に示す方向に振り分けられる。矢印Ａ３の方向に振り分けられた硬貨Ｃ１１は、収納繰出装置１６ｂａに収納される。
【００５３】
収納繰出装置１６ａａは、ホッパーおよび傾斜円盤１６ａａａを有している。傾斜円盤１６ａａａは、ホッパーとともに、硬貨を収納する空間を形成する。傾斜円盤１６ａａａは、出金時に図中時計回りに回転し、ホッパーに収納されている硬貨を上方に拾い上げ、繰出出口に硬貨を繰出す。
【００５４】
収納繰出装置１６ｂａは、ホッパーおよび傾斜円盤１６ｂａａを有している。傾斜円盤１６ｂａａは、ホッパーとともに、硬貨を収納する空間を形成する。傾斜円盤１６ｂａａは、出金時に図中反時計回りに回転し、ホッパーに収納されている硬貨を上方に拾い上げ、繰出出口に硬貨を繰出す。
【００５５】
図３に示す硬貨Ｃ１２は、収納繰出装置１６ｂａのホッパーに収納されている硬貨である。図３に示す硬貨Ｃ１３は、収納繰出装置１６ｂａから繰出される硬貨である。硬貨Ｃ１３は、収納繰出装置１６ｂａが有する傾斜円盤１６ｂａａの突起（図示せず）に引っ掛けられ、上方に拾い上げられる。そして、硬貨Ｃ１３は、板状のガイドＧ１の上端に乗って、傾斜円盤１６ｂａａから離れ、図３の矢印Ａ１に示すように、出金搬送部１７へ落下する。なお、図３の点線枠Ａ４，Ａ５は、硬貨が繰出される繰出出口の位置を示している。
【００５６】
以下では、装置前方（−ｙ軸方向）から見て、右側にある収納繰出装置１６ａａ〜１６ａｄを、右列の収納繰出装置１６ａａ〜１６ａｄと呼ぶことがある。また、装置前方から見て、左側にある収納繰出装置１６ｂａ〜１６ｂｄを、左列の収納繰出装置１６ｂａ〜１６ｂｄと呼ぶことがある。
【００５７】
収納繰出装置１６ａａ〜１６ａｄ，１６ｂａ〜１６ｂｄは、出金時には、収納している硬貨を繰出す。例えば、収納繰出装置１６ａｂ，１６ｂｂは、矢印Ａ１６，Ａ１７の位置において（図３の点線枠Ａ４，Ａ５に示す繰出出口の位置を参照）、収納している硬貨を繰出す。繰出された硬貨は、例えば、図３の矢印Ａ１に示したように、出金搬送部１７に落下し、出金口３に出金される。
【００５８】
図４の点線枠Ａ１８ａ，Ａ１８ｂは、収納繰出装置１６ａａ，１６ｂａの硬貨の繰出出口の位置を示している。点線枠Ａ１８ａ，Ａ１８ｂに示す繰出出口は、図３の点線枠Ａ４，Ａ５に示した繰出出口に対応する。収納繰出装置１６ａｂ〜１６ａｄ，１６ｂｂ〜１６ｂｄも、収納繰出装置１６ａａ，１６ｂａと同様の位置に繰出出口を有している。収納繰出装置１６ａｂ〜１６ａｄ，１６ｂｂ〜１６ｂｄは、繰出出口が、搬送部１２を挟んで対向するように配置されている。
【００５９】
図４に示す収納繰出装置１６ａｂ〜１６ａｄの傾斜円盤は、図３で説明した収納繰出装置１６ａａの傾斜円盤１６ａａａと同じ方向に回転する。図４に示す収納繰出装置１６ｂｂ〜１６ｂｄの傾斜円盤は、図３で説明した収納繰出装置１６ｂａの傾斜円盤ｂａａと同じ方向に回転する。すなわち、右列の収納繰出装置１６ａａ〜１６ａｄと、左列の収納繰出装置１６ｂａ〜１６ｂｄとで、傾斜円盤の回転方向は逆方向となっている。
【００６０】
次に、硬貨処理装置１の概略動作を、図２を用いて説明する。まず、入金動作について説明する。
【００６１】
入金口２に投入された硬貨は、貯留繰出装置１１のホッパーに貯留される。貯留繰出装置１１のホッパーに貯留された硬貨は、傾斜円盤１１ａによって上方に拾い上げられ、搬送部１２に繰出される。
【００６２】
搬送部１２に繰出された硬貨は、識別部１３によって識別される。識別された硬貨が、リジェクト硬貨でない場合、当該硬貨は、硬貨分岐装置１５ａ〜１５ｄによって振り分けられ、収納繰出装置１６ａａ〜１６ａｄ，１６ｂａ〜１６ｂｄのいずれかに収納される。
【００６３】
識別された硬貨がリジェクト硬貨である場合、リジェクト硬貨は、硬貨分岐装置１４によって出金搬送部１７に向けて振り分けられ、出金搬送部１７に落下する。出金搬送部１７に落下したリジェクト硬貨は、出金搬送部１７上に一時的に保留される。すなわち、出金搬送部１７は、リジェクト硬貨を一時的に保留する一時保留部として機能する。このとき、第１のストッパ２５および第２のストッパ２６は、回収部２０または出金口３から硬貨が排出されることを防止する。
【００６４】
貯留繰出装置１１に貯留されている全ての硬貨が繰り出されると、出金搬送部１７は、出金搬送部１７上に一時的に保留したリジェクト硬貨を回収部２０または出金口３に向けて搬送する。
【００６５】
出金搬送部１７上に一時的に保留されたリジェクト硬貨が偽貨または偽貨の可能性がある硬貨である場合、出金搬送部１７は、硬貨を回収部２０に向けて搬送する。このとき、第１のストッパ２５は、後方に向けて回動する。これにより、識別部１３において偽貨または偽貨の可能性があると識別された硬貨は、回収部２０に投出される。
【００６６】
出金搬送部１７上に一時的に保留された硬貨が、識別部１３において偽貨または偽貨の可能性がある硬貨以外のリジェクト硬貨である場合、すなわち、出金搬送部１７上に一時的に保留されたリジェクト硬貨に偽貨または偽貨の可能性がある硬貨が含まれていない場合、出金搬送部１７は、これらの硬貨を全て出金口３に向けて搬送する。このとき、第２のストッパ２６は、前方に向けて回動する。これにより、識別部１３において偽貨または偽貨の可能性があると識別された以外のリジェクト硬貨は、出金口３に投出される。
【００６７】
回収部２０への硬貨の投出が完了すると、第１のストッパ２５は、元の位置に向けて回動する。また、出金口３への硬貨の投出が完了すると、第２のストッパ２６は、元の位置に向けて回動する。
【００６８】
なお、出金搬送部１７上に一時的に保留されたリジェクト硬貨に、偽貨または偽貨の可能性がある硬貨と、これら以外のリジェクト硬貨とが含まれている場合、出金搬送部１７は、一時的に保留したこれらの硬貨を全て回収部２０に投出する。
【００６９】
硬貨処理装置１は、出金搬送部１７が回収部２０に硬貨を投出する際に、回収部２０への硬貨の投出を報知する報知部を有してもよい。報知部は、例えば、音声の出力、ランプの点灯、表示装置への出力等により回収部２０への偽貨または偽貨の可能性がある硬貨の投出を報知する。これにより、係員は、回収部２０への偽貨または偽貨の可能性がある硬貨の投出を知ることができる。
【００７０】
また、報知部は、出金搬送部１７が出金口３に向けて偽貨または偽貨の可能性がある硬貨以外のリジェクト硬貨を投出する際、出金口３への当該硬貨の投出を報知するようにしてもよい。これにより、顧客は、出金口３への偽貨または偽貨の可能性がある硬貨以外のリジェクト硬貨の投出を知ることができる。
【００７１】
次に、出金動作について説明する。硬貨処理装置１から硬貨が出金される際、硬貨は収納繰出装置１６ａａ〜１６ａｄ，１６ｂａ〜１６ｂｄから繰り出される。収納繰出装置１６ａａ〜１６ａｄ，１６ｂａ〜１６ｂｄに収納されている硬貨は、収納繰出装置１６ａａ〜１６ａｄ，１６ｂａ〜１６ｂｄが有する傾斜円盤によって、上方に拾い上げられる。上方に拾い上げられた硬貨は、ガイドＧ１を伝って繰出出口に導かれ（図３を参照）、出金搬送部１７に落下する。
【００７２】
出金搬送部１７は、出金搬送部１７に落下した硬貨を出金口３に向けて搬送する。このとき、第２のストッパ２６は、前方に向けて回動する。これにより、収納繰出装置１６ａａ〜１６ａｄ，１６ｂａ〜１６ｂｄから繰り出された硬貨は出金口３に投出される。出金口３への硬貨の投出が完了すると、第２のストッパ２６は、元の位置に向けて回動する。
【００７３】
なお、硬貨処理装置１において、収納繰出装置１６ａａ〜１６ａｄ，１６ｂａ〜１６ｂｄの何れかまたは全てに収納されている硬貨が係員によって回収される場合、収納繰出装置１６ａａ〜１６ａｄ，１６ｂａ〜１６ｂｄから繰り出された硬貨は、出金搬送部１７から回収部２０に投出される。
【００７４】
以上説明したように、本実施の形態に係る硬貨処理装置１は、識別部１３において偽貨または偽貨の可能性があると識別された硬貨を回収部２０に投出することができる。これにより、これらの硬貨が再度、市中に出回ることを防ぐことができる。一方、硬貨処理装置１は、識別部１３において偽貨または偽貨の可能性があると識別された硬貨以外のリジェクト硬貨を出金口３に投出する。これにより、硬貨処理装置１は、顧客に返却すべき硬貨を顧客に返却することができる。
【００７５】
なお、上述した実施の形態では、出金搬送部１７上にリジェクト硬貨を一時的に保留し、一時的に保留したリジェクト硬貨をまとめて回収部２０、または、出金口３に搬送するようにした。しかし、上述した出金搬送部１７に代えて、硬貨分岐装置１４によって振り分けられたリジェクト硬貨を一枚ごとに回収部２０または出金口３に搬送する搬送部を設けてもよい。このようにすれば、識別部１３で識別された硬貨に、偽貨または偽貨の可能性がある硬貨と、それ以外のリジェクト硬貨が含まれる場合でも、偽貨または偽貨の可能性がある硬貨を回収部２０に、それ以外のリジェクト硬貨を出金口３に投出することができる。
【００７６】
また、上述した実施の形態では、回収部２０が硬貨処理装置１の外部に配置されるようにしたが、これに限られるものではなく、回収部２０は、硬貨処理装置１の筐体の内部に格納され、回収時に筐体から後方に向けて引き出されるような構成としてもよい。
【００７７】
また、偽貨または偽貨の可能性がある硬貨は、収納部１８に収納されるようにしてもよい。
【００７８】
次に、硬貨処理装置１の在高参照機能について説明する。硬貨処理装置１は、内部に収納している硬貨の在高を係員に参照させる在高参照機能を有する。硬貨処理装置１には、例えば、タッチパネルなど操作表示部（不図示）が接続され、硬貨処理装置１は、操作表示部において、在高参照機能を実行する操作が行われることにより、操作表示部に在高を表示させる。
【００７９】
また、硬貨処理装置１は、ネットワークを介してサーバ装置に接続されており、硬貨処理装置１に入金された硬貨の枚数および金額などの情報、硬貨処理装置１から出金された硬貨の枚数および金額などの情報、ならびに、硬貨処理装置１の内部に収納されている硬貨の在高などの情報は、サーバ装置に送られ、サーバ装置の記憶部に記憶される。
【００８０】
操作表示部おいて在高参照機能を実行する操作が行われた場合、在高参照機能の実行を示す情報がサーバ装置に送られる。ここで、在高参照機能の実行を示す情報とは、例えば、在高参照機能を実行する操作が行われた時刻の情報である。
【００８１】
サーバ装置は、在高参照機能の実行を示す情報を受信すると、当該情報を記憶部に記憶させる。また、サーバ装置は、当該情報を受信した回数を記憶する。サーバ装置は、在高参照機能の実行を示す情報の受信回数が所定回数を超えた場合、硬貨処理装置１の管理者端末および操作表示部に在高参照機能の実行回数が所定回数を超えた旨を通知する。
【００８２】
サーバ装置は、管理者端末および操作表示部に、例えば、「本日、在高参照機能が２回使用されていいます。あと、１回で、在高参照機能の使用が禁止されます。」などのアラート情報を表示させる。
【００８３】
サーバ装置が操作表示部にこのようなアラート情報を表示させることで、硬貨処理装置１が設置された店舗において、在高参照機能が過度に使用されることを抑制することができる。また、サーバ装置が管理者端末にこのような表示をさせることで、管理者は、在高参照機能が複数回使用された硬貨処理装置１の有無および何れの硬貨処理装置１において在高参照機能が多く使用されているかを把握することができる。
【００８４】
アラート情報が表示された後に、在高参照機能が使用された場合、サーバ装置は、硬貨処理装置１に在高参照機能の使用を禁止させる。これにより、硬貨処理装置１において、在高参照機能が過度に使用されることを抑制することができる。
【００８５】
上述した実施の形態では、硬貨処理装置１について説明したが、本実施の形態で説明した技術は、紙幣処理装置にも適用できる。すなわち、紙幣処理装置は、紙幣処理装置の顧客側に設けられ、紙幣が投入される投入部と、投入部から投入された紙幣を識別する識別部と、紙幣処理装置の係員側に設けられ、識別部においてリジェクト紙幣と識別された紙幣が投出される第１の投出部と、を有する。
【００８６】
また、上記紙幣処理装置において、識別部においてリジェクト紙幣と識別された紙幣のうち、偽券と識別された紙幣は第１の投出部に投出される。
【００８７】
また、上記紙幣処理装置において、第１の投出部は、顧客側からアクセスできない位置に配置されている。
【００８８】
また、上記紙幣処理装置は、識別部においてリジェクト紙幣と識別された紙幣を一時的に保留する一時保留部を、さらに有する。一時保留部に保留されている紙幣に識別部において偽券と識別された紙幣が含まれている場合、一時保留部に保留されている紙幣は、第１の投出部に投出される。
【００８９】
また、上記紙幣処理装置は、顧客側に設けられ、紙幣が投出される第２の投出部を、さらに有する。
【００９０】
また、上記紙幣処理装置は、紙幣を搬送する搬送部を有する。一時保留部に保留されている紙幣は、搬送部によって第１の投出部または第２の投出部に搬送される。
【００９１】
また、上記紙幣処理装置は、紙幣を繰り出す繰出部を、さらに有し、繰出部が繰り出す紙幣は、第２の投出部に投出される。
【００９２】
また、上記紙幣処理装置において、繰出部が繰り出す紙幣は、釣紙幣、両替された紙幣、または、出金された紙幣である。
【００９３】
また、上記紙幣処理装置は、第１の投出部への紙幣の投出を報知する報知部を、さらに有する。
【００９４】
また、上記紙幣処理装置において、報知部は、紙幣の投出先に応じて異なる態様で紙幣の投出を報知する。
【００９５】
また、本発明は、硬貨処理装置１または紙幣処理装置に限定されるものではなく、貨幣の処理装置であってもよい。すなわち、貨幣処理装置は、貨幣処理装置の顧客側に設けられ、貨幣が投入される投入部と、投入部から投入された貨幣を識別する識別部と、貨幣処理装置の係員側に設けられ、識別部においてリジェクト貨幣と識別された貨幣が投出される第１の投出部と、を有する。
【００９６】
また、上記貨幣処理装置において、識別部においてリジェクト貨幣と識別された貨幣のうち、偽貨幣または偽貨幣の可能性があると識別された貨幣は第１の投出部に投出される。
【００９７】
また、上記貨幣処理装置において、第１の投出部は、顧客側からアクセスできない位置に配置されている。
【００９８】
また、上記貨幣処理装置は、識別部においてリジェクト貨幣と識別された貨幣を一時的に保留する一時保留部を、さらに有する。一時保留部に保留されている貨幣に識別部において偽貨幣と識別された貨幣が含まれている場合、一時保留部に保留されている貨幣は、第１の投出部に投出される。
【００９９】
また、上記貨幣処理装置は、顧客側に設けられ、貨幣が投出される第２の投出部を、さらに有する。
【０１００】
また、上記貨幣処理装置は、貨幣を搬送する搬送部を有する。一時保留部に保留されている貨幣は、搬送部によって第１の投出部または第２の投出部に搬送される。
【０１０１】
また、上記貨幣処理装置は、貨幣を繰り出す繰出部を、さらに有し、繰出部が繰り出す貨幣は、第２の投出部に投出される。
【０１０２】
また、上記貨幣処理装置において、繰出部が繰り出す貨幣は、釣貨幣、両替された貨幣、または、出金された貨幣である。
【０１０３】
また、上記貨幣処理装置は、第１の投出部への貨幣の投出を報知する報知部を、さらに有する。
【０１０４】
また、上記貨幣処理装置において、報知部は、貨幣の投出先に応じて異なる態様で貨幣の投出を報知する。
【０１０５】
また、上記貨幣処理装置は、次の貨幣処理装置であってもよい。貨幣を処理する貨幣処理装置であって、前記貨幣が投入される投入部と、前記投入部から投入された前記貨幣を識別する識別部と、前記識別部により識別された前記貨幣を搬送する搬送部と、前記識別部においてリジェクト貨幣と識別された前記貨幣の内、偽貨または偽貨の可能性があると識別された前記貨幣と、偽貨または偽貨の可能性があると識別された貨幣以外の前記貨幣を分類するよう前記搬送部を制御する制御部と、を有する貨幣処理装置。
【０１０６】
また、上記貨幣処理装置は、次の貨幣処理装置であってもよい。貨幣を処理する貨幣処理装置であって、前記貨幣が投入される投入部と、前記投入部から投入された前記貨幣を識別する識別部と、前記識別部により識別された前記貨幣を搬送する搬送部と、前記識別部においてリジェクト貨幣と識別された前記貨幣を一時的に保留する一時保留部と、前記一時保留部に保留された前記貨幣に、前記識別部により偽貨または偽貨の可能性があると識別された貨幣が含まれている場合と、前記識別部により偽貨または偽貨の可能性があると識別された貨幣が含まれていない場合とで、前記一時保留部に保留された前記貨幣の搬送先を異ならせるよう前記搬送部を制御する制御部と、を有する貨幣処理装置。
【産業上の利用可能性】
【０１０７】
本発明は、硬貨処理装置および硬貨処理方法に広く利用可能である。
【符号の説明】
【０１０８】
１  硬貨処理装置
２  入金口
３  出金口
１１  貯留繰出装置
１１ａ  傾斜円盤
１２  搬送部
１３  識別部
１４、１５ａ、１５ｂ、１５ｃ、１５ｄ  硬貨分岐装置
１６ａａ、１６ａｂ、１６ａｃ、１６ａｄ、１６ｂａ、１６ｂｂ、１６ｂｃ、１６ｂｄ  収納繰出装置
１６ａａａ、１６ｂａａ  傾斜円盤
１７  出金搬送部
１８  収納部
２０  回収部
２５  第１のストッパ
２６  第２のストッパ
Ｇ１  ガイド
【図１】
2019192051.tif 000003
【図２】
2019192051.tif 000004
【図３】
2019192051.tif 000005
【図４】
2019192051.tif 000006